(57)【要約】      （修正有）【課題】帯状の本体の一面を体に当接させてその面に設けられた電極を介して電気刺激によりマッサージを行うマッサージ器具であって、操作スイッチを容易に操作することができるものを提供する。【解決手段】帯状の本体２と、本体の中央部裏面に設けられたマッサージ用電極と、本体の端部表面に設けられた１又は２以上の操作スイッチ３１、３２とを備えるマッサージ器具であって、体の後方の部位をマッサージするために裏面表面中央部を体の後方に当接させると、操作スイッチ３１、３２が体の前方にあることとなり、容易に操作することができる。【選択図】図１
0003218284.tif 000002
【実用新案登録請求の範囲】
【請求項１】
帯状の本体と、
前記本体の中央部裏面に設けられたマッサージ用電極と、
前記本体の端部表面に設けられた１又は２以上の操作スイッチとを備えることを特徴とする、マッサージ器具。
【請求項２】
前記操作スイッチは、前記マッサージ用電極への加電圧を大きくさせる第１のスイッチと、前記マッサージ用電極への加電圧を小さくさせる第２のスイッチとを含み、
前記第１のスイッチが前記本体の一端に設けられ、前記第２のスイッチが前記本体の他端に設けられることを特徴とする、請求項１に記載のマッサージ器具。
【請求項３】
前記本体は、略直線状の中央部を有し、
前記本体の両端は、前記直線の延長線に対して変位しており、一端と他端とが同方向に変位していることを特徴とする、請求項１又は２に記載のマッサージ器具。
【請求項４】
前記本体の中央部表面に設けられた１又は２以上の補助操作スイッチを備えることを特徴とする、請求項１〜３のいずれか１項に記載のマッサージ器具。
【考案の詳細な説明】
【技術分野】
【０００１】
本考案は、一面を体に当接させてその面に設けられた電極を介して電気刺激によりマッサージを行うマッサージ器具に関する。
【背景技術】
【０００２】
粘着性を持った電極の付された一面を体に当接させてその面に設けられた電極を介して電気刺激によりマッサージを行うマッサージ器具が、例えば特許文献１、特許文献２に示すように、広く知られている。
【０００３】
ここで、マッサージ器具の形状としては、特許文献３のように一面に電極の付された本体が帯状のものがある。帯状の形状を生かし、体に巻きつけるように装着するものである。
【０００４】
かかるマッサージ器具は、帯状の本体の表面中央部（体に当接させる面を「裏面」、その反対の面を「表面」と言う。以下同じ。）に操作スイッチが設けられていることが多い。裏面を体に当接させた状態を保ちつつ、マッサージの強度等を調整するものである。
【０００５】
ここで、電極は、裏面中央部に設けられている。裏面の端部に向けた箇所にも電極を設けることがあるが、マッサージを行いたい中心の部位に裏面中央部を当接させて使用するように、電極の位置が設計されている。すると、例えば腹筋のように体の前方の部位をマッサージする場合には、表面中央部も体の前方にあり、そこに設けられた操作スイッチを容易に操作することができる。一方、例えば背筋のように体の後方の部位をマッサージする場合には、表面中央部も体の後方にあり、そこに設けられた操作スイッチを操作することが困難になってしまうことがある。
【先行技術文献】
【特許文献】
【０００６】
【特許文献１】特開２０１６−２０９１１８号公報
【特許文献２】実用新案登録３１９１９２５号公報
【特許文献３】意匠登録１５８９７４４号公報
【考案の概要】
【考案が解決しようとする課題】
【０００７】
本考案は、帯状の本体の一面を体に当接させてその面に設けられた電極を介して電気刺激によりマッサージを行うマッサージ器具であって、操作スイッチを容易に操作することができるものを提供することを課題とする。
【課題を解決するための手段】
【０００８】
本考案のマッサージ器具は、
帯状の本体と、
前記本体の中央部裏面に設けられたマッサージ用電極と、
前記本体の端部表面に設けられた１又は２以上の操作スイッチとを備えることを特徴とする。
【０００９】
この特徴によれば、操作スイッチが端部表面に設けられている。すなわち、本体を体周に沿って当接させる場合に、体の後方の部位をマッサージするために裏面表面中央部を体の後方に当接させると、操作スイッチが体の前方にあることとなり、容易に操作することができる。
【００１０】
本考案のマッサージ器具は、
前記操作スイッチは、前記マッサージ用電極への加電圧を大きくさせる第１のスイッチと、前記マッサージ用電極への加電圧を小さくさせる第２のスイッチとを含み、
前記第１のスイッチが前記本体の一端に設けられ、前記第２のスイッチが前記本体の他端に設けられることを特徴とする。
【００１１】
この特徴によれば、第１のスイッチと第２のスイッチとで加電圧を調整することができる。第１のスイッチと第２のスイッチとが互いに逆の端部に設けられているので、例えば体の右側が第１のスイッチで体の左側が第２のスイッチであるというように、２つのスイッチを容易に峻別することができる。
【００１２】
本考案のマッサージ器具は、
前記本体は、略直線状の中央部を有し、
前記本体の両端は、前記直線の延長線に対して変位しており、一端と他端とが同方向に変位していることを特徴とする。
【００１３】
この特徴によれば、例えば背筋をマッサージする時に第１のスイッチと第２のスイッチとを上方に配することができ、操作が容易になる。
【００１４】
本考案のマッサージ器具は、
前記本体の中央部表面に設けられた１又は２以上の補助操作スイッチを備えることを特徴とする。
【００１５】
この特徴によれば、裏面中央部を体の前方に当接させる場合に、補助操作スイッチによって、操作が容易になる。
【考案の効果】
【００１６】
本考案によれば、帯状の本体の一面を体に当接させてその面に設けられた電極を介して電気刺激によりマッサージを行うマッサージ器具であって、操作スイッチを容易に操作することができるものを提供することができる。
【図面の簡単な説明】
【００１７】
【図１】図１は、マッサージ器具を示す正面図である。
【図２】図２は、マッサージ器具を示す背面図である。
【図３】図３は、マッサージ器具の装着状態を示す図である。
【図４】図４は、マッサージ器具の操作を示す図である。
【考案を実施するための形態】
【００１８】
以下、本考案の実施形態を、図面を参照して詳細に説明する。
【００１９】
図１は、マッサージ器具を示す正面図である。マッサージ器具１を表面側から見た図である。マッサージ器具１は、図中の１点差鎖線Ｌに沿って延びる帯状の本体２を有し、本体２の両端に第１のスイッチ３１及び第２のスイッチ３２が設けられ、本体２の中央に補助操作スイッチ４が設けられている。
【００２０】
ここで、第１のスイッチ３１及び第２のスイッチ３２は、直線Lに対し図面上方に変位して設けられている。
【００２１】
第１のスイッチ３１は「＋」の形状を、第２のスイッチ３２は「−」の形状を有している。第１のスイッチ３１がマッサージ用電極５への加電圧を大きくさせ、第２のスイッチ３２がマッサージ用電極５への加電圧を小さくさせることを、ユーザが容易に理解できるものである。
【００２２】
図２は、マッサージ器具を示す背面図である。マッサージ器具１を裏面側から見た図である。図に示した面が体に当接される。本体２には、６つのマッサージ用電極５が設けられている。
【００２３】
６つのマッサージ用電極５のうち中央の４つが主たるマッサージ部位をマッサージする。すなわち、裏面中央を主たるマッサージ部位に当接させて使用する。
【００２４】
第１のスイッチ３１、第２のスイッチ３２及び補助操作スイッチ４に対応する箇所には電気回路箱３１ａ、３２ａ、４ａが設けられている。
【００２５】
図３は、マッサージ器具の装着状態を示す図である。背筋をマッサージするために、中央部裏面を背中に当接させた状態のものである。
【００２６】
図３（Ａ）は、背面側（背中の側）から見た図である。補助スイッチ４は、背面に配されるので、操作が容易でない（図参照）。
【００２７】
図３（Ｂ）は、正面側（腹の側）から見た図である。第１のスイッチ３１及び第２のスイッチ３２は、前面に配されるので、操作が容易である。
【００２８】
図４は、マッサージ器具の操作を示す図である。図３に示すようにマッサージ器具を装着し、第１のスイッチ３１を右手で操作する状況を示す。
【００２９】
第２のスイッチ３２は、第１のスイッチ３１と反対側に配され、左手で操作する。
【００３０】
第１のスイッチ３１と第２のスイッチ３２とが左右に分れて配置され、ユーザにとって第１のスイッチ３１と第２のスイッチ３２との使い分けが容易である。
【００３１】
第１のスイッチ３１はマッサージ用電極５への加電圧を大きくさせるものであり、第２のスイッチ３２はマッサージ用電極５への加電圧を小さくさせるものである。すなわち、使用時に、マッサージの刺激が強すぎると感じた場合や、弱すぎると感じた場合に強弱を調整して快適なものとすることができる。かかる調整は、使用前に決定するよりも使用時に調整するほうが、個々のユーザの嗜好を的確に反映できる。
【００３２】
腹筋をマッサージする場合には、補助スイッチ４が体の前面に配されるので、補助スイッチ４により容易に操作できる。補助スイッチ４として、マッサージ用電極５への加電圧を大きくさせるものと、マッサージ用電極５への加電圧を小さくさせるものとの２つを設ければよい。
【００３３】
また、マッサージ器具の機能として、マッサージの方法（モード）を複数有する場合がある。例えば、高周波数の電圧変化（揉まれている、さすられているような感触を得る）のモードと低周波数の大きな電圧変化（筋肉が確実に運動する）のモードを有することができる。補助スイッチとしてかかるモードの切り替えのスイッチを追加してもよい。
【００３４】
モードの切り替えのスイッチは、第１のスイッチ３１又は第２のスイッチ３２の近傍に設けてもよい。また、第１のスイッチ３１及び第２のスイッチ３２の一方をモードの切り替えとし、他方をマッサージ用電極５への加電圧の増減に用いる（例えば「−」形状の一端側を増加とし、他端側を減少とする）こととしてもよい。
【００３５】
以上詳細に説明したように、本実施形態のマッサージ器具１は、背筋のマッサージにおいては、第１のスイッチ３１及び第２のスイッチ３２によって、腹筋のマッサージにおいては補助スイッチ４によって、いずれについてもスイッチを容易に操作することができるものである。
【産業上の利用可能性】
【００３６】
帯状の本体の一面を体に当接させてその面に設けられた電極を介して電気刺激によりマッサージを行うマッサージ器具であって、操作スイッチを容易に操作することができるものである。多くの個人による利用が考えられる。
【符号の説明】
【００３７】
１    マッサージ器具
２    本体
３１  第１のスイッチ
３２  第２のスイッチ
４    補助操作スイッチ
５    マッサージ用電極
【図１】
0003218284.tif 000003
【図２】
0003218284.tif 000004
【図３】
0003218284.tif 000005
【図４】
0003218284.tif 000006